(57)【要約】【課題】ＩＤカードを発行する際のオペレータ等の手間を省くとともに入力ミスを防止し、機密性の高い暗証情報の漏洩等を防止して、ＩＤカードの発行を効率的に行う。【解決手段】ＩＤカード読取装置１４により、旧ＩＤカードからＩＤ番号を読み取る。ＩＤ番号をホスト２に送信し、データの照会を行い、ホスト２からＩＤカードのＩＤ番号に対応するＩＤカードの所有者の個人データを取得する。新たに設定する暗証番号を所有者本人に情報入力部１３から入力させ、入力された暗証番号をホスト２に送信し、個人データＤＢ２１に登録する。そして、更新申請書プリンタ１７により、ＩＤカードの更新申請書を作成する。ＩＤカード発行装置３により、新たな暗証番号を含む個人データに基づいて、新ＩＤカードを発行する。【選択図】図１
2005092570.tif 000002
【特許請求の範囲】
【請求項１】
所有者の個人情報が記録されたＩＤカードから前記個人情報を読み取る情報読取手段と、前記読み取られた個人情報に基づいて新たなＩＤカードを発行するための申請書データを生成する制御手段と、前記生成された申請書データに基づいて申請書を印刷する印刷出力手段と、を備えたＩＤカード申請書作成装置において、
前記新たなＩＤカードの所有者であることを識別するための暗証情報を所有者自らが設定する暗証情報設定手段を備えたことを特徴とするＩＤカード申請書作成装置。
【請求項２】
請求項１に記載のＩＤカード申請書作成装置と、
前記申請書に印刷された情報及び前記設定された暗証情報をＩＤカードに記録させて前記新たなＩＤカードを発行するＩＤカード発行装置と、
を備えたことを特徴とするＩＤカード発行システム。
【請求項３】
所有者の個人情報が記録されたＩＤカードから前記個人情報を読み取り、前記読み取られた個人情報に基づいて新たなＩＤカードを発行するＩＤカード発行システムにおいて、
前記新たなＩＤカードの所有者であることを識別するための暗証情報を所有者自らが設定する暗証情報設定手段と、
前記読み取られた個人情報及び前記設定された暗証情報に基づいて、新たな個人情報を生成する制御手段と、
前記生成された新たな個人情報をＩＤカードに記録させて前記新たなＩＤカードを発行するＩＤカード発行装置と、
を備えたことを特徴とするＩＤカード発行システム。
【請求項４】
請求項１に記載のＩＤカード申請書作成装置において、
前記設定された暗証情報が前記ＩＤカードに表記された個人情報又はその一部である場合に、警告を発する警告手段を備えたことを特徴とするＩＤカード申請書作成装置。
【請求項５】
請求項２又は３に記載のＩＤカード発行システムにおいて、
前記設定された暗証情報が前記ＩＤカードに表記された個人情報又はその一部である場合に、警告を発する警告手段を備えたことを特徴とするＩＤカード発行システム。
【請求項６】
所有者の個人情報が記録されたＩＤカードから前記個人情報を読み取り、前記読み取られた個人情報に基づいて新たなＩＤカードを発行するＩＤカード発行方法において、
前記新たなＩＤカードの所有者であることを識別するための暗証情報を所有者自らが設定する暗証情報設定工程と、
前記読み取られた個人情報及び前記設定された暗証情報に基づいて、新たな個人情報を生成する生成工程と、
前記生成された新たな個人情報をＩＤカードに記録させて前記新たなＩＤカードを発行するＩＤカード発行工程と、
を含むことを特徴とするＩＤカード発行方法。
【請求項７】
所有者の個人情報が記録されたＩＤカードから前記個人情報を読み取り、前記読み取られた個人情報に基づいて新たなＩＤカードを発行するＩＤカード発行方法において、
前記読み取られた個人情報に基づいて、各ＩＤカードの所有者の個人情報を管理するホスト装置に対して照会を行う照会工程と、
前記ホスト装置から前記ＩＤカードの所有者の個人情報を取得する取得工程と、
前記新たなＩＤカードの所有者であることを識別するための暗証情報を所有者自らが設定する暗証情報設定工程と、
前記ホスト装置から取得された個人情報及び前記設定された暗証情報に基づいて、新たな個人情報を生成する生成工程と、
前記生成された新たな個人情報をＩＤカードに記録させて前記新たなＩＤカードを発行するＩＤカード発行工程と、
を含むことを特徴とするＩＤカード発行方法。
【発明の詳細な説明】
【技術分野】
【０００１】
本発明は、社員証や各種免許証等のＩＤカードを発行する際に用いられるＩＤカード申請書作成装置、ＩＤカード発行システム及びＩＤカード発行方法に関する。
【背景技術】
【０００２】
従来、社員証、自動車運転免許証等の各種免許証類、身分証明書等のＩＤカードが用いられている。これらのＩＤカードは、カード表面に個人情報が直接印刷されていたり、カードに内蔵されたＩＣメモリに個人情報が記録されていたりする。
【０００３】
これらＩＤカードのうち有効期限のあるものは、定期的に古いＩＤカードから新しいＩＤカードへの更新が行われる。例えば、運転免許証の更新時には、運転免許証の所有者が警察署や運転免許センター等の窓口に、住所や氏名等の個人情報を記入した更新申請書と、古い運転免許証とを提出し、更新を申請する。
【０００４】
こうしたＩＤカードの更新発行を取り扱う窓口業務の労力低減を目的として、カード利用者の個人情報を記憶するデータベースを備え、ＩＤカードに記載される個人情報に変更がない場合にはデータベースの個人情報に基づいてＩＤカードを作成し、ＩＤカードに記載される個人情報に変更がある場合にはデータベースの記録内容を更新した後の個人情報に基づいてＩＤカードを作成するＩＤカードの更新発行システムが提案されている（例えば、特許文献１参照。）。
【０００５】
ＩＤカードから個人情報が不正に読み出されることを防ぐためには、暗証番号の入力等、カード所有者を識別することが必要である。新たなＩＤカードに対してＩＤカードの所有者を識別するための暗証番号を設ける場合には、更新申請書に希望する暗証番号を記入し、オペレータがデータを入力することにより、ＩＤカードが発行される。
【特許文献１】特開２０００−３１１２１３号公報
【発明の開示】
【発明が解決しようとする課題】
【０００６】
しかし、オペレータのデータ入力によるＩＤカードの発行方法では、オペレータを介するため手間がかかるとともに、入力ミスのおそれがあった。また、暗証番号等が申請書に記載されて残るため、情報の漏洩等の安全性にも問題があった。
【０００７】
本発明は、ＩＤカードを発行する際のオペレータ等の手間を省くとともに入力ミスを防止し、さらには機密性の高い暗証情報の漏洩等を防止して、ＩＤカードの発行を効率的に行うことを課題とする。
【課題を解決するための手段】
【０００８】
請求項１に記載の発明は、所有者の個人情報が記録されたＩＤカードから前記個人情報を読み取る情報読取手段と、前記読み取られた個人情報に基づいて新たなＩＤカードを発行するための申請書データを生成する制御手段と、前記生成された申請書データに基づいて申請書を印刷する印刷出力手段と、を備えたＩＤカード申請書作成装置において、前記新たなＩＤカードの所有者であることを識別するための暗証情報を所有者自らが設定する暗証情報設定手段を備えたことを特徴としている。
【０００９】
請求項２に記載の発明は、請求項１に記載のＩＤカード申請書作成装置と、前記申請書に印刷された情報及び前記設定された暗証情報をＩＤカードに記録させて前記新たなＩＤカードを発行するＩＤカード発行装置と、を備えたことを特徴としている。
【００１０】
請求項３に記載の発明は、所有者の個人情報が記録されたＩＤカードから前記個人情報を読み取り、前記読み取られた個人情報に基づいて新たなＩＤカードを発行するＩＤカード発行システムにおいて、前記新たなＩＤカードの所有者であることを識別するための暗証情報を所有者自らが設定する暗証情報設定手段と、前記読み取られた個人情報及び前記設定された暗証情報に基づいて、新たな個人情報を生成する制御手段と、前記生成された新たな個人情報をＩＤカードに記録させて前記新たなＩＤカードを発行するＩＤカード発行装置と、を備えたことを特徴としている。
【００１１】
請求項４に記載の発明は、請求項１に記載のＩＤカード申請書作成装置において、前記設定された暗証情報が前記ＩＤカードに表記された個人情報又はその一部である場合に、警告を発する警告手段を備えたことを特徴としている。
【００１２】
請求項５に記載の発明は、請求項２又は３に記載のＩＤカード発行システムにおいて、前記設定された暗証情報が前記ＩＤカードに表記された個人情報又はその一部である場合に、警告を発する警告手段を備えたことを特徴としている。
【００１３】
請求項６に記載の発明は、所有者の個人情報が記録されたＩＤカードから前記個人情報を読み取り、前記読み取られた個人情報に基づいて新たなＩＤカードを発行するＩＤカード発行方法において、前記新たなＩＤカードの所有者であることを識別するための暗証情報を所有者自らが設定する暗証情報設定工程と、前記読み取られた個人情報及び前記設定された暗証情報に基づいて、新たな個人情報を生成する生成工程と、前記生成された新たな個人情報をＩＤカードに記録させて前記新たなＩＤカードを発行するＩＤカード発行工程と、を含むことを特徴としている。
【００１４】
請求項７に記載の発明は、所有者の個人情報が記録されたＩＤカードから前記個人情報を読み取り、前記読み取られた個人情報に基づいて新たなＩＤカードを発行するＩＤカード発行方法において、前記読み取られた個人情報に基づいて、各ＩＤカードの所有者の個人情報を管理するホスト装置に対して照会を行う照会工程と、前記ホスト装置から前記ＩＤカードの所有者の個人情報を取得する取得工程と、前記新たなＩＤカードの所有者であることを識別するための暗証情報を所有者自らが設定する暗証情報設定工程と、前記ホスト装置から取得された個人情報及び前記設定された暗証情報に基づいて、新たな個人情報を生成する生成工程と、前記生成された新たな個人情報をＩＤカードに記録させて前記新たなＩＤカードを発行するＩＤカード発行工程と、を含むことを特徴としている。
【発明の効果】
【００１５】
請求項１に記載の発明によれば、所有者の個人情報が記録されたＩＤカードから個人情報を読み取り、読み取られた個人情報に基づいて新たなＩＤカードを発行するための申請書データを生成し、生成された申請書データに基づいて申請書を印刷するＩＤカード申請書作成装置において、新たなＩＤカードの所有者であることを識別するための暗証情報を所有者自らが設定することができるので、ＩＤカードを発行する際のオペレータ等の手間を省くとともに入力ミスを防止することができる。また、機密性の高い暗証情報の漏洩等を防止することができる。したがって、ＩＤカードの発行を効率的に行うことができる。
【００１６】
請求項２に記載の発明によれば、申請書に印刷された情報及び設定された暗証情報をＩＤカードに記録させて新たなＩＤカードを発行するので、ＩＤカードを発行する際のオペレータ等の手間を省き、入力ミスや機密性の高い暗証情報の漏洩等を防止して、ＩＤカードの発行を効率的に行うことができる。
【００１７】
請求項３に記載の発明によれば、ＩＤカードから読み取られた個人情報及び設定された暗証情報に基づいて生成された新たな個人情報をＩＤカードに記録させて新たなＩＤカードを発行するので、ＩＤカードを発行する際のオペレータ等の手間を省くとともに入力ミスを防止することができる。また、機密性の高い暗証情報の漏洩等を防止することができる。したがって、ＩＤカードの発行を効率的に行うことができる。
【００１８】
請求項４に記載の発明によれば、設定された暗証情報がＩＤカードに表記された個人情報又はその一部である場合に、警告を発するので、信頼性の高い暗証情報を設定することができる。
【００１９】
請求項５に記載の発明によれば、設定された暗証情報がＩＤカードに表記された個人情報又はその一部である場合に、警告を発するので、信頼性の高い暗証情報を設定することができる。
【００２０】
請求項６に記載の発明によれば、ＩＤカードから読み取られた個人情報及び設定された暗証情報に基づいて生成された新たな個人情報をＩＤカードに記録させて新たなＩＤカードを発行するので、ＩＤカードを発行する際のオペレータ等の手間を省くとともに入力ミスを防止することができる。また、機密性の高い暗証情報の漏洩等を防止することができる。したがって、ＩＤカードの発行を効率的に行うことができる。
【００２１】
請求項７に記載の発明によれば、ＩＤカードから読み取られた個人情報に基づいて、ホスト装置からＩＤカードの所有者の個人情報を取得し、取得された個人情報及び設定された暗証情報に基づいて生成された新たな個人情報をＩＤカードに記録させて新たなＩＤカードを発行するので、ＩＤカードを発行する際のオペレータ等の手間を省くとともに入力ミスを防止することができる。また、機密性の高い暗証情報の漏洩等を防止することができる。したがって、ＩＤカードの発行を効率的に行うことができる。
【発明を実施するための最良の形態】
【００２２】
［第１の実施の形態］
以下、図面を参照し、本発明の実施の形態を詳細に説明する。
まず、図１に、本発明の第１の実施の形態のＩＤカード発行システム１００のシステム構成を示す。ＩＤカード発行システム１００は、ＩＤカード申請書作成装置１と、ホスト２と、ＩＤカード発行装置３とがネットワークＮを介して接続することにより構成されている。
【００２３】
ネットワークＮは、ＩＤカード申請書作成装置１、ホスト２、ＩＤカード発行装置３の間で情報を共有するためのネットワークである。なお、ネットワークＮは、任意の時に接続可能であればよく、常時接続されている必要はない。
【００２４】
ＩＤカード申請書作成装置１は、制御部１１、表示部１２、情報入力部１３、ＩＤカード読取装置１４、記憶部１５、通信Ｉ／Ｆ１６、更新申請書プリンタ１７等を備える。
【００２５】
制御部１１は、図示しないＣＰＵ（Central Processing Unit）、ＲＯＭ（Read Only Memory）、ＲＡＭ（Random Access Memory）を備え、ＩＤカード申請書作成装置１を統括的に制御する。このＲＯＭには、ＩＤカード申請書作成装置１を制御するための主制御プログラムや、このプログラムに係る各種アプリケーションプログラムが格納され、ＲＡＭには、これら各種プログラムの実行ファイルやその実行に際して生じる各種データ等が一時的に格納される。
【００２６】
制御部１１は、ＩＤカード読取装置１４により読み取られたＩＤカードのＩＤ番号、ホスト２から取得されたＩＤカード所有者の個人データに基づいて、新たなＩＤカード（以下、新ＩＤカードという。）を発行するための更新申請書作成に必要な申請書データを生成する。申請書データには、更新申請者の氏名、ＩＤ番号、住所等の個人データが含まれる。
【００２７】
また、制御部１１は、情報入力部１３から入力された、新ＩＤカードの所有者を識別するための暗証番号が、ＩＤカードに表記された個人データ又はその一部である場合に、暗証番号として不適切であることを表示部１２に表示させ、更新申請者に対して警告を発する。
【００２８】
表示部１２は、ＣＲＴ（Cathode Ray Tube）やＬＣＤ（Liquid Crystal Display）等で構成され、制御部１１からの表示信号に従って、画面表示を行う。
【００２９】
情報入力部１３は、ＩＤカードの所有者自らが暗証番号を設定するためのものであり、数字キーや各種機能キー等を備える。そして、これらのキーが押下された場合には、その押下信号を制御部１１へ出力する。なお、情報入力部１３は、表示部１２と一体となったタッチパネルにより構成されることとしてもよい。
【００３０】
ＩＤカード読取装置１４は、更新前のＩＤカード（以下、旧ＩＤカードという。）からＩＤ番号を読み取る。例えば、ＯＣＲ（Optical Character Reader）によりカードの表面に記載されている情報を光学的に読み取り、文字認識してＩＤ番号を取得する。また、ＩＤカードが、所有者の個人データを記録したＩＣメモリを備えている場合には、ＩＣメモリリーダによりＩＣメモリからデータを読み取る。
【００３１】
記憶部１５は、磁気的、光学的記録媒体、若しくは半導体メモリ等を含んだ構成であり、旧ＩＤカードから読み取られたＩＤカードのＩＤ番号、情報入力部１３から入力された暗証番号、ホスト２から受信した個人データ、申請書データ等を記憶する。
【００３２】
通信Ｉ／Ｆ１６は、ネットワークＮを介してホスト２又はＩＤカード発行装置３との間でデータの送受信を行うためのインターフェースである。
【００３３】
更新申請書プリンタ１７は、電子写真方式、インクジェット方式等のプリンタ機能を有し、記憶部１５に記憶されている申請書データに基づいて、ＩＤカードの更新申請書を印刷する。更新申請書には、更新申請者の氏名、ＩＤ番号、住所等が記載されている。
【００３４】
ホスト２は、ネットワークＮを介して、ＩＤカード申請書作成装置１及びＩＤカード発行装置３を管理するコンピュータである。また、ホスト２は、各ＩＤカードの所有者の個人データ（例えば、ＩＤ番号、氏名、生年月日、住所、暗証番号、有効期限等。）をそれぞれ対応付けて格納する個人データＤＢ（Data Base）２１を備えている。
【００３５】
ホスト２は、ＩＤカード申請書作成装置１からの照会に応じて、ＩＤカードの所有者の個人データをＩＤカード申請書作成装置１に送信する。
【００３６】
ＩＤカード発行装置３は、印刷装置、ＩＣメモリライタを備え、個人データＤＢ２１に記憶されている個人データに基づいて、新ＩＤカードを発行する。印刷装置は、ＩＤカードの表面に、ＩＤ番号、氏名及び有効期限等の個人データを印刷する。また、ＩＣメモリライタは、ＩＤカードに内蔵されるＩＣメモリに暗証番号を含む個人データを記録する。
【００３７】
次に、ＩＤカード発行システム１００の動作を説明する。
図２は、ＩＤカード発行システム１００におけるＩＤカード更新申請書作成処理を示すフローチャートである。
【００３８】
まず、更新申請者により、旧ＩＤカードがＩＤカード読取装置１４に挿入される（ステップＳ１）。そして、ＩＤカード読取装置１４のＯＣＲにより旧ＩＤカードに表記されているＩＤ番号が読み取られるか、あるいは、ＩＣメモリリーダにより旧ＩＤカードのＩＣメモリからデータが読み取られることにより、旧ＩＤカードからＩＤ番号が検出される（ステップＳ２）。
【００３９】
次に、更新申請者により、情報入力部１３から旧ＩＤカードの暗証番号が入力される（ステップＳ３）。
【００４０】
旧ＩＤカードから読み取られたＩＤ番号と、情報入力部１３から入力された暗証番号とがホスト２に送信され、データの照会が行われる（ステップＳ４）。送信された暗証番号と、個人データＤＢ２１に格納されている、送信されたＩＤ番号に対応する暗証番号とが比較され（ステップＳ５）、暗証番号が一致しない場合には（ステップＳ５；ＮＯ）、再度旧暗証番号の入力が要求される。暗証番号が一致した場合には（ステップＳ５；ＹＥＳ）、個人データＤＢ２１に格納されている、送信されたＩＤ番号に対応する有効期限に基づいて、更新申請者が更新対象者であるか否かが判断される（ステップＳ６）。例えば、有効期限の１か月前からＩＤカードの更新を受け付けている場合には、ＩＤカードの有効期限まで１か月以内であるか否かが判断の基準となる。また、ＩＤカードが各種免許証の場合には、違反等によって無資格となっていないかが確認される。
【００４１】
更新対象者である場合には（ステップＳ６；ＹＥＳ）、ホスト２からＩＤカードのＩＤ番号に対応するＩＤカードの所有者の個人データが送信され、ＩＤカード申請書作成装置１により取得される（ステップＳ７）。そして、ＩＤカードの所有者の個人データに基づいて、申請書データが生成される。
【００４２】
次に、個人データが表示部１２に表示される（ステップＳ８）。更新申請者により、表示された個人データの内容が確認され（ステップＳ９）、内容が正しい場合には（ステップＳ９；ＹＥＳ）、新ＩＤカードの暗証番号が要求され（ステップＳ１０）、新たな暗証番号が入力される（ステップＳ１１）。
【００４３】
この新たに設定された暗証番号が、ＩＤカードに表記される個人データ又はその一部である場合には（ステップＳ１２；ＹＥＳ）、表示部１２に暗証番号として不適切である旨の警告が表示され（ステップＳ１３）、再度新ＩＤカードの暗証番号が要求される（ステップＳ１０）。個人データ又はその一部のデータとしては、例えば、生年月日やそれを模したもの、また本籍地や住所の地番、電話番号等が該当する。
【００４４】
新たに設定された暗証番号が、ＩＤカードに表記される個人データ又はその一部でない場合には（ステップＳ１２；ＮＯ）、ホスト２に送信され、新たな暗証番号として、個人データＤＢ２１に登録される（ステップＳ１４）。ステップＳ１１において、暗証番号を変更しない場合には、旧暗証番号の継続使用を選択可能となっていることとしてもよい。
【００４５】
そして、更新申請書プリンタ１７により、記憶部１５に記憶されている申請書データに基づいて、ＩＤカードの更新申請書が作成される（ステップＳ１５）。更新申請書には、暗証番号の欄が設けられていてもよいが、暗証番号の漏洩を防止するために、暗証番号は、更新申請書には記載されない（あるいは、アスタリスクで表示される）ことが望ましい。
【００４６】
確認のために表示部１２に表示された個人データの内容が正しくない場合には（ステップＳ９；ＮＯ）、このＩＤカードの更新は、本ＩＤカード発行システム１００では扱えないことが表示される（ステップＳ１６）。例えば、転居等による住所変更、結婚等による氏名変更の変更届を未だ提出していない場合等、個人データＤＢ２１に登録されているデータが正しくなかった場合が該当する。
【００４７】
以上で、ＩＤカード更新申請書作成処理が終了する。
なお、旧ＩＤカードに暗証番号が設定されていない場合には、ステップＳ３及びステップＳ５の処理は行われない。
【００４８】
作成された申請書と、個人データＤＢ２１に記憶されている新たな暗証番号を含む個人データに基づいて、ＩＤカード発行装置３により新ＩＤカードが発行される。新ＩＤカードには、新たな有効期限が設定される。
【００４９】
ＩＤカードの所有者がＩＤカードを使用する際に、予め用意された装置に暗証番号を入力することにより、ＩＤカードの所有者であることが識別され、ＩＤカードのＩＣメモリから個人データの読み出しが許可される。
【００５０】
ＩＤカード発行システム１００によれば、所有者の個人データが記録されたＩＤカードからＩＤ番号を読み取り、読み取られたＩＤ番号及びホスト２から取得された個人データに基づいて新ＩＤカードを発行するための申請書を作成し、所有者本人によって設定された暗証番号を含む個人データをＩＤカードに記録させて新ＩＤカードを発行するので、ＩＤカードを発行する際のオペレータ等の手間を省くとともに入力ミスを防止することができる。また、機密性の高い暗証番号の漏洩等を防止することができる。したがって、ＩＤカードの発行を効率的に行うことができる。
【００５１】
また、ＩＤカードの所有者を識別するための暗証番号がＩＤカードに表記された個人データ又はその一部である場合に、警告を発するので、信頼性の高い暗証番号を設定することができる。
【００５２】
［第２の実施の形態］
次に、本発明を適用した第２の実施の形態について説明する。
図３に、第２の実施の形態のＩＤカード発行システム２００のシステム構成を示す。ＩＤカード発行システム２００は、ＩＤカード発行受付装置４とホスト５とがネットワークＮを介して接続することにより構成されている。
【００５３】
ネットワークＮは、ＩＤカード発行受付装置４、ホスト５の間で情報を共有するためのネットワークである。なお、ネットワークＮは、任意の時に接続可能であればよく、常時接続されている必要はない。
【００５４】
ＩＤカード発行受付装置４は、制御部４１、表示部４２、情報入力部４３、ＩＤカード読取装置４４、記憶部４５、通信Ｉ／Ｆ４６、ＩＤカード発行装置４７等を備える。第１の実施の形態では、ＩＤカード発行装置３がＩＤカード申請書作成装置１とは別の装置として接続されていたが、第２の実施の形態では、申請書は作成せずに、ＩＤカード発行装置４７が情報入力部４３、ＩＤカード読取装置４４等と同一の装置内に含まれている。
【００５５】
制御部４１は、図示しないＣＰＵ、ＲＯＭ、ＲＡＭを備え、ＩＤカード発行受付装置４を統括的に制御する。このＲＯＭには、ＩＤカード発行受付装置４を制御するための主制御プログラムや、このプログラムに係る各種アプリケーションプログラムが格納され、ＲＡＭには、これら各種プログラムの実行ファイルやその実行に際して生じる各種データ等が一時的に格納される。
【００５６】
制御部４１は、ＩＤカード読取装置４４により読み取られたＩＤカードのＩＤ番号、ホスト５から取得されたＩＤカード所有者の個人データ、情報入力部４３から入力された新ＩＤカードの暗証番号に基づいて、新たな個人データを生成する。
【００５７】
また、制御部４１は、情報入力部４３から入力された新ＩＤカードの暗証番号が、ＩＤカードに表記された個人データ又はその一部である場合に、暗証番号として不適切であることを表示部４２に表示させ、更新申請者に対して警告を発する。
【００５８】
表示部４２は、ＣＲＴやＬＣＤ等で構成され、制御部４１からの表示信号に従って、画面表示を行う。
【００５９】
情報入力部４３は、ＩＤカードの所有者自らが暗証番号を設定するためのものであり、数字キーや各種機能キー等を備える。そして、これらのキーが押下された場合には、その押下信号を制御部４１へ出力する。なお、情報入力部４３は、表示部４２と一体となったタッチパネルにより構成されることとしてもよい。
【００６０】
ＩＤカード読取装置４４は、旧ＩＤカードからＩＤ番号を読み取る。例えば、ＯＣＲによりカードの表面に記載されている情報を光学的に読み取り、文字認識してＩＤ番号を取得する。また、ＩＤカードが、所有者の個人データを記録したＩＣメモリを備えている場合には、ＩＣメモリリーダによりＩＣメモリからデータを読み取る。
【００６１】
記憶部４５は、磁気的、光学的記録媒体、若しくは半導体メモリ等を含んだ構成であり、旧ＩＤカードから読み取られたＩＤカードのＩＤ番号、情報入力部４３から入力された暗証番号、ホスト５から受信した個人データ等を記憶する。
【００６２】
通信Ｉ／Ｆ４６は、ネットワークＮを介してホスト５との間でデータの送受信を行うためのインターフェースである。
【００６３】
ＩＤカード発行装置４７は、印刷装置、ＩＣメモリライタを備え、記憶部４５又は個人データＤＢ５１に記憶されている新たな個人データに基づいて、新ＩＤカードを発行する。印刷装置は、ＩＤカードの表面に、ＩＤ番号、氏名及び有効期限等の個人データを印刷する。また、ＩＣメモリライタは、ＩＤカードに内蔵されるＩＣメモリに暗証番号を含む個人データを記録する。
【００６４】
ホスト５は、ネットワークＮを介して、ＩＤカード発行受付装置４を管理するコンピュータである。また、ホスト５は、各ＩＤカードの所有者の個人データ（例えば、ＩＤ番号、氏名、生年月日、住所、暗証番号、有効期限等。）をそれぞれ対応付けて格納する個人データＤＢ５１を備えている。
【００６５】
ホスト５は、ＩＤカード発行受付装置４からの照会に応じて、ＩＤカードの所有者の個人データをＩＤカード発行受付装置４に送信する。
【００６６】
次に、ＩＤカード発行システム２００の動作を説明する。
図４は、ＩＤカード発行システム２００におけるＩＤカード発行処理を示すフローチャートである。
【００６７】
まず、更新申請者により、旧ＩＤカードがＩＤカード読取装置４４に挿入される（ステップＳ２１）。そして、ＩＤカード読取装置４４のＯＣＲにより旧ＩＤカードに表記されているＩＤ番号が読み取られるか、あるいは、ＩＣメモリリーダにより旧ＩＤカードのＩＣメモリからデータが読み取られることにより、旧ＩＤカードからＩＤ番号が検出される（ステップＳ２２）。
【００６８】
次に、更新申請者により、情報入力部４３から旧ＩＤカードの暗証番号が入力される（ステップＳ２３）。
【００６９】
旧ＩＤカードから読み取られたＩＤ番号と、情報入力部４３から入力された暗証番号とがホスト５に送信され、データの照会が行われる（ステップＳ２４）。送信された暗証番号と、個人データＤＢ５１に格納されている、送信されたＩＤ番号に対応する暗証番号とが比較され（ステップＳ２５）、暗証番号が一致しない場合には（ステップＳ２５；ＮＯ）、再度旧暗証番号の入力が要求される。暗証番号が一致した場合には（ステップＳ２５；ＹＥＳ）、個人データＤＢ５１に格納されている、送信されたＩＤ番号に対応する有効期限に基づいて、更新申請者が更新対象者であるか否かが判断される（ステップＳ２６）。また、ＩＤカードが各種免許証の場合には、違反等によって無資格となっていないかが確認される。
【００７０】
更新対象者である場合には（ステップＳ２６；ＹＥＳ）、ホスト５からＩＤカードのＩＤ番号に対応するＩＤカードの所有者の個人データが送信され、ＩＤカード発行受付装置４により取得される（ステップＳ２７）。
【００７１】
次に、個人データが表示部４２に表示される（ステップＳ２８）。更新申請者により、表示された個人データの内容が確認され（ステップＳ２９）、内容が正しい場合には（ステップＳ２９；ＹＥＳ）、新ＩＤカードの暗証番号が要求され（ステップＳ３０）、新たな暗証番号が入力される（ステップＳ３１）。
【００７２】
この新たに設定された暗証番号が、ＩＤカードに表記される個人データ又はその一部である場合には（ステップＳ３２；ＹＥＳ）、表示部４２に暗証番号として不適切である旨の警告が表示され（ステップＳ３３）、再度新ＩＤカードの暗証番号が要求される（ステップＳ３０）。
【００７３】
新たに設定された暗証番号が、ＩＤカードに表記される個人データ又はその一部でない場合には（ステップＳ３２；ＮＯ）、ホスト５に送信され、新たな暗証番号として、個人データＤＢ５１に登録される（ステップＳ３４）。また、新たに設定された暗証番号を含む新たな個人データが生成され、記憶部４５に記憶される。ステップＳ３１において、暗証番号を変更しない場合には、旧暗証番号の継続使用を選択可能となっていることとしてもよい。
【００７４】
記憶部４５又は個人データＤＢ５１に記憶されている新たな個人データに基づいて、ＩＤカード発行装置４７により新ＩＤカードが発行される（ステップＳ３５）。印刷装置により、ＩＤカードの表面にＩＤ番号、氏名及び新たな有効期限等の個人データが印刷され、ＩＣメモリライタにより、ＩＤカードに内蔵されるＩＣメモリに、新たに設定された暗証番号を含む個人データが記録される。
【００７５】
確認のために表示部４２に表示された個人データの内容が正しくない場合には（ステップＳ２９；ＮＯ）、このＩＤカードの更新は、本ＩＤカード発行システム２００では扱えないことが表示される（ステップＳ３６）。
【００７６】
以上で、ＩＤカード発行処理が終了する。
なお、旧ＩＤカードに暗証番号が設定されていない場合には、ステップＳ２３及びステップＳ２５の処理は行われない。
【００７７】
ＩＤカード発行システム２００によれば、ＩＤカードから読み取られた個人データ、ホスト５から取得されたＩＤカードの所有者の個人データ及び所有者本人によって設定された暗証番号に基づいて生成された新たな個人データをＩＤカードに記録させて新ＩＤカードを発行するので、ＩＤカードを発行する際のオペレータ等の手間を省くとともに入力ミスを防止することができる。また、機密性の高い暗証番号の漏洩等を防止することができる。したがって、ＩＤカードの発行を効率的に行うことができる。
【００７８】
また、暗証番号がＩＤカードに表記された個人データ又はその一部である場合に、警告を発するので、信頼性の高い暗証番号を設定することができる。
【００７９】
なお、上記各実施の形態における記述は、本発明に係る好適なＩＤカード発行システムの例であり、これに限定されるものではない。ＩＤカード発行システムを構成する各装置の細部構成及び細部動作に関しても本発明の趣旨を逸脱することのない範囲で適宜変更可能である。
【００８０】
上記各実施の形態では、ＩＤカードの所有者を識別するための暗証情報として暗証番号を用いた例について説明したが、暗証情報として数字以外の文字等を用いることとしてもよい。
【００８１】
また、上記各実施の形態では、ＩＤカード読取装置１４，４４により、旧ＩＤカードからＩＤ番号のみが読み取られることとしたが、ＩＤカードの所有者の氏名、住所等、ＩＤ番号以外の個人データが読み取られることとしてもよい。
【図面の簡単な説明】
【００８２】
【図１】第１の実施の形態におけるＩＤカード発行システム１００のシステムブロック図である。
【図２】ＩＤカード発行システム１００におけるＩＤカード更新申請書作成処理を示すフローチャートである。
【図３】第２の実施の形態におけるＩＤカード発行システム２００のシステムブロック図である。
【図４】ＩＤカード発行システム２００におけるＩＤカード発行処理を示すフローチャートである。
【符号の説明】
【００８３】
１００  ＩＤカード発行システム
１  ＩＤカード申請書作成装置
１１  制御部
１２  表示部
１３  情報入力部
１４  ＩＤカード読取装置
１５  記憶部
１６  通信Ｉ／Ｆ
１７  更新申請書プリンタ
２  ホスト
２１  個人データＤＢ
３  ＩＤカード発行装置
２００  ＩＤカード発行システム
４  ＩＤカード発行受付装置
４１  制御部
４２  表示部
４３  情報入力部
４４  ＩＤカード読取装置
４５  記憶部
４６  通信Ｉ／Ｆ
４７  ＩＤカード発行装置
５  ホスト
５１  個人データＤＢ
【図１】
2005092570.tif 000003
【図２】
2005092570.tif 000004
【図３】
2005092570.tif 000005
【図４】
2005092570.tif 000006